【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
インターネットプロトコル（ＩＰ）マルチメディアサブシステム（ＩＭＳ）ネットワーク（３５０）において、進行中のコールの連続性を管理する方法であって、該方法は、
セッション開始プロトコル（ＳＩＰ）インバイトメッセージ（３１２、３５６）を介して、一つのドメイン内の進行中のコールに関連するコール情報を該ＩＭＳネットワーク（３５０）内に配置されたネットワークノード（３０８）に提供すること（２２２）であって、該ＳＩＰインバイトメッセージ（３１２、３５６）は、コール連続性のための呼び出しとして動作するように適合されたユニフォームリソース識別子（ＵＲＩ）を含む、提供すること（２２２）と、
ＳＩＰ応答メッセージ（３１６、３６４／３６６）を介して該ネットワークノード（３０８）から、ルーティング可能な番号を受信することに応答して、該進行中のコールと関連するコールリファレンス番号が有効であることを確認すること（２２４）と、
該確認（２２４）後に、該ＳＩＰ応答メッセージ（３１６、３６４／３６６）の中に識別される利用可能なドメイン情報と一つ以上の利用可能な無線アクセス技術とに基づいて、代替ドメイン内の進行中のコールの連続性を実行するために、該ルーティング可能な番号を用いることにより、該ネットワークノード（３０８）にコール設定メッセージ（３２０、３６８）を送信することと
を包含する、方法。
【請求項２】
前記代替ドメインは、パケット交換（ＰＳ）ネットワークドメインと回路交換（ＣＳ）ネットワークドメインとのうちの一つを備える、請求項１に記載の方法。
【請求項３】
前記ルーティング可能な番号は、ＶＣＣドメイン転送番号（ＶＤＮ）とＩＰマルチメディアルーティング番号（ＩＭＲＮ）とのうちの一つを備える、請求項１に記載の方法。
【請求項４】
前記ＵＲＩは、ユーザ装備デバイス（３０２）と関連する取り外し可能なストレージモジュールに、ローカルに格納される、請求項１に記載の方法。
【請求項５】
前記ＵＲＩは、ユーザ装備デバイス（３０２）内に集積されたメモリ回路に、ローカルに格納される、請求項１に記載の方法。
【請求項６】
前記ＵＲＩは、前記ＩＭＳネットワーク（３５０）によってユーザ装備デバイス（３０２）に動的に割り当てられている、請求項１に記載の方法。
【請求項７】
前記ＵＲＩは、ＳＩＰヘッダまたはＳＩＰメッセージのボディのうちの一つを提供される、請求項６に記載の方法。
【請求項８】
前記ＵＲＩは、ユーザ装備デバイス（３０２）と関連するユーザＩＤパラメータに基づいて、該ＵＥデバイス（３０２）によって、生成される、請求項１に記載の方法。
【請求項９】
ユーザ装備（ＵＥ）デバイス（３０２）であって、
セッション開始プロトコル（ＳＩＰ）インバイトメッセージ（３１２、３５６）を介して、進行中のコールと関連するコール情報を、インターネットプロトコル（ＩＰ）マルチメディアサブシステム（ＩＭＳ）ネットワーク（３５０）内に配置されたネットワークノード（３０８）に提供する（２２２）手段であって、該ＳＩＰインバイトメッセージ（３１２、３５６）は、コール連続性のための呼び出しとして動作するように適合されたユニフォームリソース識別子（ＵＲＩ）を含む、提供する（２２２）手段と、
ＳＩＰ応答メッセージ（３１６、３６４／３６６）を介して、該ネットワークノード（３０８）から、ルーティング可能な番号を受信したことに応答して動作可能であり、該進行中のコールと関連するコールリファレンス番号が有効であることを確認する（２２４）手段と、
該確認（２２４）に応答して動作可能で、該ＳＩＰ応答メッセージ（３１６、３６４／３６６）の中に識別されるドメイン情報と一つ以上の利用可能な無線アクセス技術とに基づいて、代替ドメイン内の進行中のコールの連続性を実行するために、該ルーティング可能な番号を用いることにより、該ネットワークノード（３０８）にコール設定メッセージ（３２０、３６８）を送信する手段と
を備える、ＵＥデバイス（３０２）。
【請求項１０】
前記代替ドメインは、パケット交換（ＰＳ）ネットワークドメインと回路交換（ＣＳ）ネットワークドメインとのうちの一つを備える、請求項９に記載のＵＥデバイス（３０２）。
【請求項１１】
ネットワークノード（３０８）であって、
ユーザ装備（ＵＥ）デバイス（３０２）から受信したセッション開始プロトコル（ＳＩＰ）インバイトメッセージが、リクエスト−ユニフォームリソース識別子（Ｒ−ＵＲＩ）フィールドを含み、該Ｒ−ＵＲＩフィールドが、コール連続性のための呼び出しとして動作するように適合されたＵＲＩを含むことを確認する（３１３）手段と、
該ＵＥデバイス（３０２）に提供されるべきＳＩＰ応答メッセージを生成する手段（３１３）であって、該ＳＩＰ応答メッセージは、ＩＰマルチメディアルーティング番号（ＩＭＲＮ）と、一つ以上の無線アクセス技術と、該ＵＥデバイス（３０２）と動作可能な代替ドメインとのうちの少なくとも一つを含むように動作可能である、生成する手段（３１３）と、
コール連続性を実行することに関して、該ＵＥデバイス（３０２）からのメッセージを介して受信した該ＩＭＲＮが依然として有効であることを確認する手段（３１３）と
を備える、ネットワークノード（３０８）。
【請求項１２】
前記代替ドメインは、パケット交換（ＰＳ）ネットワークドメインと回路交換（ＣＳ）ネットワークドメインとのうちの一つを備える、請求項１１に記載のネットワークノード（３０８）。
【請求項１３】
前記ＵＲＩは、前記ネットワークノード（３０８）と関連するデータベース（１２２）に格納されている、請求項１１に記載のネットワークノード（３０８）。
【請求項１４】
前記代替ドメインは、Ｔｅｌ−ＵＲＩフォーマットで前記ＳＩＰ応答メッセージの中に識別される、請求項１１に記載のネットワークノード（３０８）。
【請求項１５】
前記代替ドメインは、Ｅ．１６４フォーマットで前記ＳＩＰ応答メッセージの中に識別される、請求項１１に記載のネットワークノード（３０８）。
【請求項１６】
コール連続性を実行する方法であって、
ユーザ装備（ＵＥ）デバイス（３０２）から受信したセッション開始プロトコル（ＳＩＰ）インバイトメッセージが、リクエスト−ユニフォームリソース識別子（Ｒ−ＵＲＩ）フィールドを含み、該Ｒ−ＵＲＩフィールドが、コール連続性のための呼び出しとして動作するように適合されたＵＲＩを含むことを確認することと、
該ＵＥデバイス（３０２）に向けたＳＩＰ応答メッセージを生成することであって、該ＳＩＰ応答メッセージは、ＩＰマルチメディアルーティング番号（ＩＭＲＮ）と、一つ以上の無線アクセス技術と、該ＵＥデバイス（３０２）と動作可能な代替ドメインとのうちの少なくとも一つを含むように動作可能である、ことと、
コール連続性を実行することに関して、該ＵＥデバイス（３０２）からのメッセージを介して受信した該ＩＭＲＮが依然として有効であることを確認することと
を包含する、方法。
【請求項１７】
前記代替ドメインは、パケット交換（ＰＳ）ネットワークドメインと回路交換（ＣＳ）ネットワークドメインとのうちの一つを備える、請求項１６に記載の方法。
【請求項１８】
前記代替ドメインは、Ｔｅｌ−ＵＲＩフォーマットで前記ＳＩＰ応答メッセージの中に識別される、請求項１６に記載の方法。
【請求項１９】
前記代替ドメインは、Ｅ．１６４フォーマットで前記ＳＩＰ応答メッセージの中に識別される、請求項１６に記載の方法。